(57)【要約】本発明は、１対多制御チャネルから少なくとも１つの制御情報メッセージを受信するための属性情報を有する１対多サービス用制御情報指示メッセージを受信する段階と、前記属性情報によって少なくとも１つの制御情報メッセージを受信すると決定する段階と、移動端末が少なくとも１つの制御情報メッセージを受信すると決定した場合、前記１対多制御チャネルで少なくとも１つの制御情報メッセージを受信する段階と、を含み、前記制御情報指示メッセージと少なくとも１つの制御情報メッセージは、同一のプロトコル層から生成された１対多メッセージであることを特徴とする無線通信システムにおける１対多サービスの受信方法を提供する。
2007522758.tif 000002
【特許請求の範囲】
【請求項１】
１対多制御チャネルから少なくとも１つの制御情報メッセージを受信するための属性情報を有する１対多サービス用制御情報指示メッセージを受信する段階と、
前記属性情報によって少なくとも１つの制御情報メッセージを受信すると決定する段階と、
移動端末が少なくとも１つの制御情報メッセージを受信すると決定した場合、前記１対多制御チャネルで少なくとも１つの制御情報メッセージを受信する段階と、を含み、前記制御情報指示メッセージと少なくとも１つの制御情報メッセージは、同一のプロトコル層から生成された１対多メッセージであることを特徴とする無線通信システムにおける１対多サービスの受信方法。
【請求項２】
前記移動端末が少なくとも１つの制御情報メッセージを受信しないと決定した場合、前記移動端末は、少なくとも１つの制御情報メッセージを受信しないことを特徴とする請求項１に記載の無線通信システムにおける１対多サービスの受信方法。
【請求項３】
前記属性情報によって少なくとも１つの制御情報メッセージを受信すると決定する段階は、
前記制御情報指示メッセージに基づき、移動端末が加入している１対多サービスのための少なくとも１つの制御情報メッセージの更新を確認する段階と、
前記少なくとも１つの制御情報メッセージが更新されると少なくとも１つの制御情報メッセージを受信すると決定する段階と、を含むことを特徴とする請求項１に記載の無線通信システムにおける１対多サービスの受信方法。
【請求項４】
前記制御情報メッセージを受信するために以前に受信されたトラフィックチャネルから１対多制御チャネルに切り替える段階をさらに含むことを特徴とする請求項１に記載の無線通信システムにおける１対多サービスの受信方法。
【請求項５】
前記少なくとも１つの制御情報メッセージを受信すると決定した場合、以前に受信されたトラフィックチャネルから１対多制御チャネルに切り替える段階をさらに含むことを特徴とする請求項４に記載の無線通信システムにおける１対多サービスの受信方法。
【請求項６】
前記少なくとも１つの制御情報メッセージを処理する段階と、
１対多サービスを受信するために１対多制御チャネルからトラフィックチャネルに切り替える段階と、をさらに含むことを特徴とする請求項１に記載の無線通信システムにおける１対多サービスの受信方法。
【請求項７】
前記属性情報は、
前記１対多サービスに関する１対多サービスＩＤから構成されることを特徴とする請求項１に記載の無線通信システムにおける１対多サービスの受信方法。
【請求項８】
前記属性情報によって少なくとも１つの制御情報メッセージを受信すると決定する段階は、
１対多サービスＩＤが属性情報に含まれていると１対多サービスＩＤを確認する段階と、
前記１対多サービスＩＤが移動端末が加入している１対多サービスに関連していると、１対多制御チャネルでどの制御情報メッセージを受信するかを決定する段階と、を含むことを特徴とする請求項１に記載の無線通信システムにおける１対多サービスの受信方法。
【請求項９】
前記１対多サービスＩＤが移動端末が加入している１対多サービスに関連していないと、端末は、前記制御情報指示メッセージを受信する前に、以前に受信したトラフィックチャネルの受信を続けることを特徴とする請求項８に記載の無線通信システムにおける１対多サービスの受信方法。
【請求項１０】
前記トラフィックチャネルは、
１対多トラフィックチャネルと１対１トラフィックチャネルのいずれか１つであることを特徴とする請求項９に記載の無線通信システムにおける１対多サービスの受信方法。
【請求項１１】
前記属性情報は、
前記少なくとも１つの制御情報メッセージに関する制御情報識別子と、
前記少なくとも１つの制御情報メッセージに関する更新情報と、
前記１対多サービスに関するタイミング情報の少なくとも１つから構成されることを特徴とする請求項１に記載の無線通信システムにおける１対多サービスの受信方法。
【請求項１２】
前記更新情報は、
前記１対多サービスのための少なくとも１つの制御情報メッセージの更新情報を示すことを特徴とする請求項１１に記載の無線通信システムにおける１対多サービスの受信方法。
【請求項１３】
前記タイミング情報は、
前記１対多制御チャネルのどの部分が受信されるかを示すことを特徴とする請求項１１に記載の無線通信システムにおける１対多サービスの受信方法。
【請求項１４】
前記タイミング情報は、
前記１対多制御チャネル受信の開始時間を示すことを特徴とする請求項１１に記載の無線通信システムにおける１対多サービスの受信方法。
【請求項１５】
前記移動端末は、
前記タイミング情報によって持続時間に１対多制御チャネルを受信することを特徴とする請求項１１に記載の無線通信システムにおける１対多サービスの受信方法。
【請求項１６】
前記移動端末は、
前記タイミング情報によって終了時間に前記１対多制御チャネルの受信を中止することを特徴とする請求項１１に記載の無線通信システムにおける１対多サービスの受信方法。
【請求項１７】
制御情報識別子が前記属性情報に含まれていると、前記制御情報識別子を確認する段階と、
前記制御情報識別子が移動端末に関連していると、少なくとも１つの制御情報メッセージを受信する段階と、をさらに含むことを特徴とする請求項１１に記載の無線通信システムにおける１対多サービスの受信方法。
【請求項１８】
更新情報が前記属性情報に含まれていると、前記更新情報を確認する段階と、
前記更新情報を以前に保存された更新情報と比較する段階と、
以前に保存された更新情報がないか、又は前記更新情報が以前に保存された更新情報と異なると、少なくとも１つの制御情報メッセージを受信する段階と、をさらに含むことを特徴とする請求項１１に記載の無線通信システムにおける１対多サービスの受信方法。
【請求項１９】
タイミング情報が前記属性情報に含まれていると、前記タイミング情報を確認する段階と、
前記タイミング情報が示す時間区間によって少なくとも１つの制御情報メッセージを受信する段階と、をさらに含むことを特徴とする請求項１１に記載の無線通信システムにおける１対多サービスの受信方法。
【請求項２０】
前記制御情報指示メッセージは、
ＭＴＣＨで受信されることを特徴とする請求項１に記載の無線通信システムにおける１対多サービスの受信方法。
【請求項２１】
前記制御情報指示メッセージは、
Ｓ−ＭＣＣＨで受信されることを特徴とする請求項１に記載の無線通信システムにおける１対多サービスの受信方法。
【請求項２２】
前記１対多制御チャネルは、
ＭＣＣＨであることを特徴とする請求項１に記載の無線通信システムにおける１対多サービスの受信方法。
【請求項２３】
前記トラフィックチャネルは、
ＭＴＣＨであることを特徴とする請求項６に記載の無線通信システムにおける１対多サービスの受信方法。
【請求項２４】
１対多制御チャネルで少なくとも１つの制御情報メッセージを伝送するための属性情報を有する、１対多サービス用制御情報指示メッセージを移動端末に伝送する段階と、
前記１対多制御チャネルで少なくとも１つの制御情報メッセージを伝送する段階と、を含み、前記制御情報指示メッセージと前記少なくとも１つの制御情報メッセージは、同一のプロトコル層から生成された１対多メッセージであることを特徴とする無線通信システムにおける１対多サービス伝送方法。
【請求項２５】
前記端末が少なくとも１つの制御情報メッセージを受信すると決定する段階は、
前記制御情報指示メッセージに基づき、移動端末が加入している１対多サービスのための少なくとも１つの制御情報メッセージの更新を確認する段階と、
前記少なくとも１つの制御情報メッセージが更新されると少なくとも１つの制御情報メッセージを受信すると決定する段階と、を含むことを特徴とする請求項２４に記載の無線通信システムにおける１対多サービス伝送方法。
【請求項２６】
前記移動端末は、
前記属性情報によって少なくとも１つの制御情報メッセージを受信すると決定することを特徴とする請求項２４に記載の無線通信システムにおける１対多サービス伝送方法。
【請求項２７】
前記属性情報は、
前記１対多サービスに関する１対多サービスＩＤから構成されることを特徴とする請求項２６に記載の無線通信システムにおける１対多サービス伝送方法。
【請求項２８】
前記属性情報によって少なくとも１つの制御情報メッセージを受信すると決定する段階は、
１対多サービスＩＤが属性情報に含まれていると、前記１対多サービスＩＤを確認する段階と、
前記１対多サービスＩＤが移動端末が加入している１対多サービスに関連していると、１対多制御チャネルからどの制御情報メッセージを受信するかを決定する段階と、を含むことを特徴とする請求項２７に記載の無線通信システムにおける１対多サービス伝送方法。
【請求項２９】
前記１対多サービスＩＤが移動端末が加入している１対多サービスに関連していないと、前記移動端末は、前記制御情報指示メッセージを受信する前に、以前に受信されたトラフィックチャネルの受信を続けることを特徴とする請求項２８に記載の無線通信システムにおける１対多サービス伝送方法。
【請求項３０】
前記トラフィックチャネルは、
１対多トラフィックチャネルと１対１トラフィックチャネルのいずれか１つであることを特徴とする請求項２９に記載の無線通信システムにおける１対多サービス伝送方法。
【請求項３１】
前記属性情報は、
前記少なくとも１つの制御情報メッセージに関する制御情報識別子と、
前記少なくとも１つの制御情報メッセージに関する更新情報と、
前記１対多サービスに関するタイミング情報の少なくとも１つから構成されることを特徴とする請求項２４に記載の無線通信システムにおける１対多サービス伝送方法。
【請求項３２】
前記更新情報は、
前記１対多サービスのための少なくとも１つの制御情報メッセージの更新情報を示すことを特徴とする請求項３１に記載の無線通信システムにおける１対多サービス伝送方法。
【請求項３３】
前記タイミング情報は、
前記１対多制御チャネルのどの部分が端末により受信されるかを示すことを特徴とする請求項３１に記載の無線通信システムにおける１対多サービス伝送方法。
【請求項３４】
前記タイミング情報は、
前記１対多制御チャネル伝送の開始時間を示すことを特徴とする請求項３１に記載の無線通信システムにおける１対多サービス伝送方法。
【請求項３５】
前記ネットワークは、
前記タイミング情報によって持続時間に１対多制御チャネルを伝送することを特徴とする請求項３１に記載の無線通信システムにおける１対多サービス伝送方法。
【請求項３６】
前記ネットワークは、
前記タイミング情報によって終了時間に１対多制御チャネルの伝送を中止することを特徴とする請求項３１に記載の無線通信システムにおける１対多サービス伝送方法。
【請求項３７】
前記属性情報によって少なくとも１つの制御情報メッセージを受信すると決定する段階は、
制御情報識別子が属性情報に含まれていると、前記制御情報識別子を確認する段階と、
前記制御情報識別子が移動端末に関連していると、少なくとも１つの制御情報メッセージを受信する段階と、を含むことを特徴とする請求項３１に記載の無線通信システムにおける１対多サービス伝送方法。
【請求項３８】
前記属性情報によって少なくとも１つの制御情報メッセージを受信すると決定する段階は、
更新情報が前記属性情報に含まれていると、前記更新情報を確認する段階と、
前記更新情報を以前に保存された更新情報と比較する段階と、
以前に保存された更新情報がないか、又は前記更新情報が以前に保存された更新情報と異なると、少なくとも１つの制御情報メッセージを受信する段階と、を含むことを特徴とする請求項３１に記載の無線通信システムにおける１対多サービス伝送方法。
【請求項３９】
前記属性情報によって少なくとも１つの制御情報メッセージを受信すると決定する段階は、
タイミング情報が前記属性情報に含まれていると、前記タイミング情報を確認する段階と、
前記タイミング情報が示す時間区間によって前記少なくとも１つの制御情報メッセージを受信する段階と、を含むことを特徴とする請求項３１に記載の無線通信システムにおける１対多サービス伝送方法。
【請求項４０】
前記制御情報指示メッセージは、
ＭＴＣＨで受信されることを特徴とする請求項２４に記載の無線通信システムにおける１対多サービス伝送方法。
【請求項４１】
前記制御情報指示メッセージは、
Ｓ−ＭＣＣＨで受信されることを特徴とする請求項２４に記載の無線通信システムにおける１対多サービス伝送方法。
【請求項４２】
前記１対多制御チャネルは、
ＭＣＣＨであることを特徴とする請求項２４に記載の無線通信システムにおける１対多サービス伝送方法。
【請求項４３】
前記トラフィックチャネルは、
ＭＴＣＨであることを特徴とする請求項２９に記載の無線通信システムにおける１対多サービス伝送方法。
【発明の詳細な説明】
【技術分野】
【０００１】
本発明は、移動通信システムにおけるマルチメディアブロードキャスト／マルチキャストサービス（ＭＢＭＳ）に関し、特に、ＭＢＭＳサービスのための制御情報の送受信方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、ヨーロッパ式標準のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。
【０００３】
図１は、従来のＵＭＴＳネットワークの構造１を示す。
【０００４】
図１に示すように、移動端末２又はユーザ装置（ＵＥ）２は、ＵＴＲＡＮ（ＵＭＴＳ  ｔｅｒｒｅｓｔｒｉａｌ  ｒａｄｉｏ  ａｃｃｅｓｓ  ｎｅｔｗｏｒｋ）６を通じてコアネットワーク４と接続されていて、前記ＵＴＲＡＮ６は、前記ＵＥ２とコアネットワーク４の間の通信のための無線接続ベアラを構成、維持及び管理し、エンドツーエンドのサービス品質（ＱｏＳ）の要求事項を充足させる。
【０００５】
前記ＵＴＲＡＮ６は、複数の無線ネットワークサブシステム（Ｒａｄｉｏ  Ｎｅｔｗｏｒｋ  Ｓｕｂ−ｓｙｓｔｅｍｓ：ＲＮＳ）８から構成され、各ＲＮＳは、複数の基地局１２やＮｏｄｅ  Ｂ１２のための１つの無線ネットワーク制御装置（ＲＮＣ  ：  Ｒａｄｉｏ  Ｎｅｔｗｏｒｋ  Ｃｏｎｔｒｏｌｌｅｒ）１０から構成される。前記基地局１２に接続されたＲＮＣ１０は、１つのセル内で動作する各ＵＥ１０に提供される共通資源の割当及び管理を担当する制御ＲＮＣを意味する。１つのＮｏｄｅ  Ｂには、１つ以上のセルが存在する。前記制御ＲＮＣ１０は、トラフィック負荷、セルの輻輳、及び新しい無線リンクの承認を制御する。各Ｎｏｄｅ  Ｂ１２は、ＵＥ１０からアップリンク信号を受信して前記ＵＥ２にダウンリンク信号を伝送する。各Ｎｏｄｅ  Ｂ１２は、ＵＥ２と前記ＵＴＲＡＮ６とを接続する接続ポイントの役割を果たし、ＲＮＣ１０は、該当Ｎｏｄｅ  Ｂと前記コアネットワーク４とを接続するための接続ポイントの役割を果たす。
【０００６】
前記ＵＴＲＡＮ６の無線ネットワークサブシステム８の中で、前記サービング（ｓｅｒｖｉｎｇ）ＲＮＣ１０は、特定ＵＥ２へのサービス提供のための専用無線資源を管理するＲＮＣであり、前記コアネットワーク４と特定ＵＥの間のデータの伝送のための接続ポイントの役割を果たす。前記ＵＥ２に接続された他のＲＮＣ１０は、全てドリフト（ｄｒｉｆｔ）ＲＮＣであるため、前記ＵＴＲＡＮ６を通じて前記ＵＥとコアネットワーク４とを接続するサービングＲＮＣ１０は、１つのみが存在する。前記各ドリフトＲＮＣ１０は、容易にユーザデータをルーティングし得るようにして共通資源としてコードを割り当てる。
【０００７】
前記ＵＥ２とＵＴＲＡＮ６の間のインタフェースは、３ＧＰＰの標準に記述された物理層Ｌ１、データリンク層Ｌ２及びネットワーク層Ｌ３を記述している無線接続網の基準によって設定された無線インタフェースプロトコルにより実現される。前記各プロトコル層は、通信システムにおけるよく知られているＯＳＩ（Ｏｐｅｎ  Ｓｙｓｔｅｍ  Ｉｎｔｅｒｃｏｎｎｅｃｔｉｏｎ）参照モデルの下位３つ３層に基づく。
【０００８】
図２は、従来の無線インタフェースプロトコルの構造を示している。図に示すように、前記無線インタフェースプロトコルは、水平的に物理層、データリンク層、及びネットワーク層に分けることができ、垂直的には、音声信号及びインターネットプロトコルパケット伝送のようなデータトラフィックを伝送するためのユーザプレーンとインタフェースの維持及び管理のための制御情報を伝送するための制御プレーンに分けることができる。
【０００９】
前記物理層（Ｐｈｙｓｉｃａｌ  Ｌａｙｅｒ：ＰＨＹ）は、上位の層に情報伝送サービスを提供し、伝送チャネルで媒体アクセス制御（Ｍｅｄｉｕｍ  Ａｃｃｅｓｓ  Ｃｏｎｔｒｏｌ：ＭＡＣ）層と接続されている。前記ＭＡＣ層とＰＨＹ層は、伝送チャネルでお互いにデータをやり取りする。また、データの伝送は、異なる物理層間、すなわち、送信側（送信機）と受信側（受信機）の物理層間の物理チャネルで行われる。
【００１０】
前記第２層Ｌ２のＭＡＣ層は、上位層に情報伝送サービスを提供して論理チャネルでＲＬＣ層と接続される。前記第２層Ｌ２のＲＬＣ層は、信頼性あるデータの伝送をサポートし、上位層から受信されたＲＬＣサービスデータユニット（Ｓｅｒｖｉｃｅ  Ｄａｔａ  Ｕｎｉｔ：ＳＤＵ）の分割及び接続を行うことができる。
【００１１】
前記第３層Ｌ３の最も下部に位置する無線資源制御（Ｒａｄｉｏ  Ｒｅｓｏｕｒｃｅ  Ｃｏｎｔｒｏｌ：ＲＲＣ）層は、制御プレーンでのみ定義され、各無線ベアラなどの設定、再設定及び解除に対する伝送チャネル及び物理チャネルを制御する。無線ベアラ（Ｒａｄｉｏ  Ｂｅａｒｅｒ；ＲＢ）サービスは、ＵＥ２とＵＴＲＡＮ６の間のデータの伝送のためにＲＬＣ層又はＭＡＣ層のような下位層により提供されるサービスである。
【００１２】
無線ベアラを設定するということは、特定のサービスを提供するために必要なプロトコル層及びチャネルの特性を規定して前記サービスのパラメータ及び動作方法を設定することを意味する。特定ＵＥ２のＲＲＣ層とＵＴＲＡＮ６のＲＲＣ層の間の接続が設定されて伝送可能になると、前記ＵＥ２は、ＲＲＣ−接続状態にあるという。前記接続が設定されていないＵＥ２は、アイドル状態にあるという。
【００１３】
以下、マルチメディアブロードキャスト／マルチキャストサービス（ＭＢＭＳ又はＭＢＭＳサービス）について記述する。
【００１４】
ＭＢＭＳとは、１対多及び１対１無線ベアラの少なくとも１つを活用するダウンリンク専用のＭＢＭＳ無線ベアラを利用して複数のＵＥ１０にストリーミング又はバックグラウンドサービスを提供するための方法を意味する。１つのＭＢＭＳサービスは、１つ以上のセッションを含んでＭＢＭＳデータは、セッション中に前記ＭＢＭＳ無線ベアラで複数の端末に伝送される。
【００１５】
前記名称が意味するように、ＭＢＭＳは、ブロードキャストモードやマルチキャストモードで実行することができる。前記ブロードキャストモードは、ブロードキャストエリア（ｂｒｏａｄｃａｓｔ  ａｒｅａ）、例えば、ブロードキャストサービスを利用し得るドメイン内にある全てのＵＥ２にマルチメディアデータを伝送するためのモードである。前記マルチキャストモードは、マルチキャストエリア（ｍｕｌｔｉｃａｓｔ  ａｒｅａ）、例えば、マルチキャストサービスを利用し得るドメイン内にある特定のＵＥ２グループにマルチメディアデータを伝送するためのモードである。
【００１６】
前記ＵＴＲＡＮ６は、前記ＲＢでＵＥ２にＭＢＭＳサービスを提供する。前記ＵＴＲＡＮ６により使用された各ＲＢは、１対１ＲＢと１対多ＲＢに区分される。前記１対１ＲＢは、双方向ＲＢであり、論理チャネルＤＴＣＨ（Ｄｅｄｉｃａｔｅｄ  Ｔｒａｆｆｉｃ  Ｃｈａｎｎｅｌ）、伝送チャネルＤＣＨ（Ｄｅｄｉｃａｔｅｄ  Ｃｈａｎｎｅｌ）及び物理チャネルＤＰＣＨ（Ｄｅｄｉｃａｔｅｄ  Ｐｈｙｓｉｃａｌ  Ｃｈａｎｎｅｌ）又はＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。
【００１７】
前記１対多ＲＢは、単方向ダウンリンクＲＢであり、論理チャネルＭＴＣＨ（ＭＢＭＳ  Ｔｒａｆｆｉｃ  Ｃｈａｎｎｅｌ）、伝送チャネルＦＡＣＨ（Ｆｏｒｗａｒｄ  Ａｃｃｅｓｓ  Ｃｈａｎｎｅｌ）及び前記物理チャネルＳＣＣＰＣＨを含む。前記論理チャネルＭＴＣＨは、１つのセルに提供されている各ＭＢＭＳサービスのために構成され、特定のＭＢＭＳサービスのユーザプレーンデータを前記ＵＥ２に伝送するのに利用される。
【００１８】
前記ＭＢＭＳサービスを提供するＵＴＲＡＮ６は、ＭＣＣＨ（ＭＢＭＳ  Ｃｏｎｔｒｏｌ  Ｃｈａｎｎｅｌ）で複数の端末（ＵＥｓ）２にＭＢＭＳ関連制御情報を伝送する。ここで、前記論理チャネルＭＣＣＨは、１対多ダウンリンクチャネルで、前記ＳＣＣＰＣＨにマッピングされるＦＡＣＨにマッピングされる。前記ＭＢＭＳ関連制御情報は、ＭＢＭＳサービスの開始を知らせるセッション開始（Ｓｅｓｓｉｏｎ  Ｓｔａｒｔ）、ＭＢＭＳサービスの終了を知らせるセッション終了（Ｓｅｓｓｉｏｎ  Ｓｔｏｐ）、ＭＢＭＳサービスが１対１で提供されるか、又は１対多で提供されるかを示すＲＢタイプインジケータ（Ｔｙｐｅ  ｉｎｄｉｃａｔｏｒ）、前記ＲＢ  Ｔｙｐｅが１対多である場合、ＭＴＣＨなどの１対多無線ベアラ情報を知らせるＲＢ情報、前記ＭＢＭＳサービスを受信しようとする端末の数を測定するための集計（Ｃｏｕｎｔｉｎｇ）情報及び前記ＭＢＭＳサービスを提供している途中に該ＭＢＭＳサービスを受信しようとする端末の数を再び測定するための再集計（Ｒｅ−ｃｏｕｎｔｉｎｇ）情報などを含む。
【００１９】
前記各ＭＢＭＳ関連制御情報は、独立したメッセージに含んで伝送することもできて、１つのＭＢＭＳ制御メッセージの中に全て含むこともできる。このようにＭＢＭＳに関する多様な制御情報を伝送するために論理チャネルのＭＣＣＨが使用され、該ＭＣＣＨのチャネルマッピングは、前記ＭＴＣＨのチャネルマッピングと類似している。すなわち、前記ＭＣＣＨは、１対多ダウンリンクチャネル（Ｐｏｉｎｔ−ｔｏ−ｍｕｌｔｉｐｏｉｎｔ  ｄｏｗｎｌｉｎｋ  ｃｈａｎｎｅｌ）であり、伝送チャネルＦＡＣＨにマッピングされ、該ＦＡＣＨは、物理チャネルのＳＣＣＰＣＨにマッピングされる。なお、前記ＭＴＣＨは、１サービス当たり１つ存在するのに対して前記ＭＣＣＨは、１セル当たり１つのみ存在する。
【００２０】
ＭＢＭＳサービスを受信しようとする端末２は、まず、ＭＣＣＨでＭＢＭＳ制御情報を取得しなければならない。しかし、端末２は、ＭＢＭＳ用としては１つのＳＣＣＰＣＨのみが受信可能で、また、前記ＭＣＣＨは、ＭＴＣＨとは別個のＳＣＣＰＣＨで伝送されるため、端末が既に１つ以上のＭＢＭＳサービスを受信している場合は前記ＭＣＣＨを受信することができない。
【００２１】
ＭＢＭＳ制御情報受信指示メッセージ（ＭＣＣＨ  Ｉｎｄｉｃａｔｉｏｎ  Ｍｅｓｓａｇｅ）は、１つ以上のＭＢＭＳサービスを受信している端末、すなわちＭＴＣＨを受信している各端末に情報を指示するために使用される。
【００２２】
前記ＭＣＣＨ指示メッセージは、ＳＣＣＰＣＨで伝送される。また、前記ＭＴＣＨは、ＳＣＣＰＣＨで伝送される。前記ＭＢＭＳデータを受信するために、前記端末２は、１つのＳＣＣＰＣＨを受信する。前記ＵＴＲＡＮ６は、ＭＣＣＨで伝送された制御情報を端末が受信し得るように前記ＳＣＣＰＣＨで前記ＭＣＣＨ指示メッセージを伝送する。この場合、前記ＭＣＣＨ指示メッセージは、端末が受信しているＭＴＣＨで伝送されるか、又は前記ＭＴＣＨと同一のＳＣＣＰＣＨにマッピングされている補助チャネル、すなわち、Ｓ−ＭＣＣＨ（Ｓｅｃｏｎｄａｒｙ  ＭＣＣＨ）で伝送される。ここで、前記Ｓ−ＭＣＣＨは、ＭＴＣＨと同様にＳＣＣＰＣＨにマッピングされるチャネルである。前記Ｓ−ＭＣＣＨは、ＤＣＣＨ（Ｄｅｄｉｃａｔｅｄ  ｃｏｎｔｒｏｌ  Ｃｈａｎｎｅｌ）のような専用チャネルであったり、ＣＣＣＨ（Ｃｏｍｍｏｎ  Ｃｏｎｔｒｏｌ  Ｃｈａｎｎｅｌ）のような共用チャネルであったり、又は新しい専用又は共用チャネルである。どのチャネルが使用されたとしても前記ＭＣＣＨ指示メッセージは、ＭＴＣＨがマッピングされた同一のＳＣＣＰＣＨで伝送される。
【００２３】
前記ＭＣＣＨ指示メッセージは、１ｂｉｔの指示メッセージであり、前記ＭＣＣＨで所定の制御情報が伝送される時、前記端末２によりＭＣＣＨで前記制御情報を受信するように指示する目的で使用される。すなわち、ＭＴＣＨを受信する途中にＭＣＣＨ指示メッセージを受信すると、前記端末２は、ＭＴＣＨが伝送されるＳＣＣＰＣＨからＭＣＣＨが伝送されるＳＣＣＰＣＨにチャネルを切り替え、前記ＭＣＣＨで伝送されるＭＢＭＳ制御情報を受信する。前記ＭＣＣＨで所望のＭＢＭＳ制御情報を受信すると、前記端末２は、再びＭＴＣＨがマッピングされたＳＣＣＰＣＨに切り替えてＭＴＣＨを受信する。
【発明の開示】
【発明が解決しようとする課題】
【００２４】
しかし、従来のＭＣＣＨ指示メッセージは、１ｂｉｔの指示メッセージであるために、前記端末２にＭＣＣＨを受信しろという指示のみを行う。このような方式は、指示メッセージの伝送量を最小化する面では利点があるが、次のような問題点がある。
【００２５】
まず、前記端末２は、ＭＣＣＨ指示メッセージがどのサービスの受信を指示しているか分からないために、自身が所望しないサービスの制御情報が伝送される場合にも不要にＭＣＣＨ指示メッセージを受信する。
【００２６】
また、前記端末２は、ＭＣＣＨ指示メッセージがどの制御情報の受信を指示しているか分からない。従って、様々な種類の制御情報が続けて伝送される場合、前記端末２は、どの制御情報を受信すべきか分からず、特に、いつ再びＭＴＣＨを受信すべきか分からなくなる。かつ、同一の制御情報が数回繰り返して伝送される場合、前記端末２は、不要に既に受信した制御メッセージを再び受信する。
【００２７】
従って、従来の方法で、前記端末２は、不要にＭＣＣＨを受信する場合が多く発生するが、ここでさらに大きな問題は、ＭＣＣＨを受信している間は端末がＭＴＣＨを受信しないために、ＭＢＭＳデータを損失するという点である。前記ＭＢＭＳデータの損失は、端末がＭＣＣＨを読み込む回数が多くなるほどさらに大きくなるために、端末がＭＣＣＨを読み込む回数を最小化させる方法が切実に要求される。
【００２８】
従って、本発明は、ＭＢＭＳのための制御情報の送受信方法を提供することを目的とする。
【課題を解決するための手段】
【００２９】
本発明の付加的な特性及び利点は、以下の説明に記載され、部分的には、以下の説明によって明らかになるか、又は本発明の実行を通じて熟知されるであろう。本発明の目的及び他の利点は、特に、以下に記載された説明及び図面だけではなく、請求項で指摘した構造により実現されるであろう。
【００３０】
前記の目的を達成するために、本発明の一実施形態による無線通信システムにおける１対多サービスの受信方法は、１対多制御チャネルから少なくとも１つの制御情報メッセージを受信するための属性情報を有する１対多サービス用制御情報指示メッセージを受信する段階と、前記属性情報によって少なくとも１つの制御情報メッセージを受信すると決定する段階と、移動端末が少なくとも１つの制御情報メッセージを受信すると決定した場合、前記１対多制御チャネルで少なくとも１つの制御情報メッセージを受信する段階と、を含み、前記制御情報指示メッセージと少なくとも１つの制御情報メッセージは、同一のプロトコル層から生成された１対多メッセージであることを特徴とする。もし、前記移動端末が少なくとも１つの制御情報メッセージを受信しないと決定すると、前記移動端末は、少なくとも１つの制御情報メッセージを受信しないことを特徴とする。
【００３１】
本発明の一態様において、前記属性情報によって少なくとも１つの制御情報メッセージを受信すると決定する段階は、前記制御情報指示メッセージに基づき、移動端末が加入している１対多サービスのための少なくとも１つの制御情報メッセージの更新を確認する段階と、前記少なくとも１つの制御情報メッセージが更新されると少なくとも１つの制御情報メッセージを受信すると決定する段階と、から構成されることを特徴とする。
【００３２】
前記方法は、前記制御情報メッセージを受信するために以前に受信されたトラフィックチャネルから１対多制御チャネルに切り替える段階を含むことを特徴とする。好ましくは、前記方法は、前記少なくとも１つの制御情報メッセージを受信すると決定した場合、以前に受信されたトラフィックチャネルから１対多制御チャネルに切り替える段階を含むことを特徴とする。また、前記方法は、前記少なくとも１つの制御情報メッセージを処理する段階と、１対多サービスを受信するために１対多制御チャネルからトラフィックチャネルに切り替える段階と、を含むことを特徴とする。
【００３３】
本発明の他の態様において、前記属性情報は、１対多サービスに関する１対多サービスＩＤから構成されることを特徴とする。かつ、前記属性情報によって少なくとも１つの制御情報メッセージを受信すると決定する段階は、１対多サービスＩＤが属性情報に含まれていると１対多サービスＩＤを確認する段階と、前記１対多サービスＩＤが移動端末が加入している１対多サービスに関連していると、１対多制御チャネルでどの制御情報メッセージを受信するかを決定する段階と、を含むことを特徴とする。
【００３４】
もし、前記１対多サービスＩＤが移動端末が加入している１対多サービスに関連していないと、端末は、前記制御情報指示メッセージを受信する前に、以前に受信したトラフィックチャネルの受信を続ける。前記トラフィックチャネルは、１対多トラフィックチャネルと１対１トラフィックチャネルのいずれか１つであることを特徴とする。
【００３５】
好ましくは、前記属性情報は、前記少なくとも１つの制御情報メッセージに関する制御情報識別子と、前記少なくとも１つの制御情報メッセージに関する更新情報と、前記１対多サービスに関するタイミング情報の少なくとも１つから構成されることを特徴とする。前記更新情報は、前記１対多サービスのための少なくとも１つの制御情報メッセージの更新情報を示すことを特徴とする。
【００３６】
前記タイミング情報は、前記１対多制御チャネルのどの部分が受信されるかを示すことを特徴とする。好ましくは、前記タイミング情報は、１対多制御チャネル受信の開始時間を示すことを特徴とする。また、前記移動端末は、前記タイミング情報によって持続時間に１対多制御チャネルを受信することを特徴とする。それに対して、前記移動端末は、前記タイミング情報によって終了時間に前記１対多制御チャネルの受信を中止することを特徴とする。
【００３７】
本発明のさらに他の態様において、前記方法は、制御情報識別子が前記属性情報に含まれていると、前記制御情報識別子を確認する段階と、前記制御情報識別子が移動端末に関連していると、少なくとも１つの制御情報メッセージを受信する段階と、を含むことを特徴とする。
【００３８】
本発明の一態様において、前記方法は、更新情報が前記属性情報に含まれていると、前記更新情報を確認する段階と、前記更新情報を以前に保存された更新情報と比較する段階と、以前に保存された更新情報がないか、又は前記更新情報が以前に保存された更新情報と異なると、少なくとも１つの制御情報メッセージを受信する段階と、を含むことを特徴とする。
【００３９】
本発明の他の態様において、前記方法は、タイミング情報が前記属性情報に含まれていると、前記タイミング情報を確認する段階と、前記タイミング情報が示す時間区間によって少なくとも１つの制御情報メッセージを受信する段階と、を含むことを特徴とする。
【００４０】
好ましくは、前記制御情報指示メッセージはＭＴＣＨで受信され、前記制御情報指示メッセージはＳ−ＭＣＣＨで受信され、前記１対多制御チャネルはＭＣＣＨであり、前記トラフィックチャネルはＭＴＣＨであることを特徴とする。
【００４１】
本発明の他の実施形態による無線通信システムにおける１対多サービス伝送方法は、１対多制御チャネルで少なくとも１つの制御情報メッセージを伝送するための属性情報を有する、１対多サービス用制御情報指示メッセージを移動端末に伝送する段階と、前記１対多制御チャネルで少なくとも１つの制御情報メッセージを伝送する段階と、を含み、前記制御情報指示メッセージと前記少なくとも１つの制御情報メッセージは、同一のプロトコル層から生成された１対多メッセージであることを特徴とする。
【００４２】
本発明の一態様において、前記移動端末は、少なくとも１つの制御情報メッセージを受信すると決定する段階は、前記制御情報指示メッセージに基づき、移動端末が加入している１対多サービスのための少なくとも１つの制御情報メッセージの更新を確認する段階と、前記少なくとも１つの制御情報メッセージが更新されると少なくとも１つの制御情報メッセージを受信すると決定する段階と、を含むことを特徴とする。
【００４３】
本発明の他の態様において、前記移動端末は、前記属性情報によって少なくとも１つの制御情報メッセージを受信すると決定し、前記属性情報は、前記１対多サービスに関する１対多サービスＩＤから構成されることを特徴とする。
【００４４】
属性情報によって少なくとも１つの制御情報メッセージを受信すると決定する段階は、１対多サービスＩＤが属性情報に含まれていると、前記１対多サービスＩＤを確認する段階と、前記１対多サービスＩＤが移動端末が加入している１対多サービスに関連していると、１対多制御チャネルからどの制御情報メッセージを受信するかを決定する段階と、を含むことを特徴とする。
【００４５】
もし、前記１対多サービスＩＤが移動端末が加入している１対多サービスに関連していないと、前記移動端末は、前記制御情報指示メッセージを受信する前に、以前に受信されたトラフィックチャネルの受信を続けることを特徴とする。好ましくは、前記トラフィックチャネルは、１対多トラフィックチャネルと１対１トラフィックチャネルのいずれか１つであることを特徴とする。
【００４６】
本発明の一態様において、前記属性情報は、前記少なくとも１つの制御情報メッセージに関する制御情報識別子と、前記少なくとも１つの制御情報メッセージに関する更新情報と、前記１対多サービスに関するタイミング情報の少なくとも１つと、から構成されることを特徴とする。前記更新情報は、前記１対多サービスのための少なくとも１つの制御情報メッセージの更新情報を示すことを特徴とする。
【００４７】
前記タイミング情報は、前記１対多制御チャネルのどの部分が端末により受信されるかを示すことを特徴とする。また、前記タイミング情報は、前記１対多制御チャネル伝送の開始時間を示すことを特徴とする。好ましくは、前記ネットワークは、タイミング情報によって持続時間に１対多制御チャネルを伝送することを特徴とする。それに対して、前記ネットワークは、前記タイミング情報によって終了時間に１対多制御チャネルの伝送を中止することを特徴とする。
【００４８】
本発明の一態様において、前記属性情報によって少なくとも１つの制御情報メッセージを受信すると決定する段階は、制御情報識別子が属性情報に含まれていると、前記制御情報識別子を確認する段階と、前記制御情報識別子が移動端末に関連していると、少なくとも１つの制御情報メッセージを受信する段階と、を含むことを特徴とする。
【００４９】
本発明の他の態様において、前記属性情報によって少なくとも１つの制御情報メッセージを受信すると決定する段階は、更新情報が前記属性情報に含まれていると、前記更新情報を確認する段階と、前記更新情報を以前に保存された更新情報と比較する段階と、以前に保存された更新情報がないか、又は前記更新情報が以前に保存された更新情報と異なると、少なくとも１つの制御情報メッセージを受信する段階と、を含むことを特徴とする。
【００５０】
本発明のさらに他の態様において、前記属性情報によって少なくとも１つの制御情報メッセージを受信すると決定する段階は、タイミング情報が前記属性情報に含まれていると、前記タイミング情報を確認する段階と、前記タイミング情報が示す時間区間によって前記少なくとも１つの制御情報メッセージを受信する段階と、を含むことを特徴とする。
【００５１】
好ましくは、前記制御情報指示メッセージはＭＴＣＨで受信され、前記制御情報指示メッセージはＳ−ＭＣＣＨで受信され、前記１対多制御チャネルはＭＣＣＨであり、前記トラフィックチャネルはＭＴＣＨであることを特徴とする。
【００５２】
下記の本発明の一般的な記載と詳細な記載は例示的であり、請求項に指摘されたように、本発明のより明らかな説明のために提供されたものであることを認知しなければならない。
【発明の効果】
【００５３】
本発明によるＭＢＭＳサービスの制御情報の送受信方法は、多くの長所を有している。例えば、端末が１つ以上のＭＢＭＳサービスを受信する途中にＭＢＭＳ制御情報受信指示メッセージ（ＭＣＣＨ  ｉｎｄｉｃａｔｉｏｎ  ｍｅｓｓａｇｅ）を受信すると、前記ＭＢＭＳ制御情報受信指示メッセージに含まれているサービスＩＤ、ＲＲＣメッセージＩＤ及び更新情報を確認してＭＣＣＨを受信するか否かを決定する。従って、端末は、ＭＣＣＨで受信される制御情報が既に受信されたか、又は受信される制御情報が端末に関連していないサービスに該当する時に不要にＭＣＣＨを受信することを防止する。従って、前記ＭＣＣＨの不要な受信によるＭＢＭＳデータの損失を減らす。
【００５４】
また、本発明は、前記ＭＢＭＳ制御情報受信指示メッセージにタイミング情報を含めて伝送することで、端末が不要に長時間ＭＣＣＨを受信することを防止してＭＢＭＳデータの損失をさらに減らすことができる。
【発明を実施するための最良の形態】
【００５５】
本発明は、端末がＭＢＭＳデータの受信中にＭＢＭＳ制御情報を受信するためのＭＣＣＨを不要に読み込むことで発生するデータの損失を最小化するための方法に関する。この目的のために、本発明は、ＭＢＭＳ制御情報受信指示メッセージ（ＭＣＣＨ  Ｉｎｄｉｃａｔｉｏｎ  Ｍｅｓｓａｇｅ）の構成方法及びこれを利用したＭＢＭＳ制御情報の受信方法を提供する。
【００５６】
本発明は、３ＧＰＰ標準により開発されたＵＭＴＳのような移動通信システムで実現されるが、他の標準に準拠した通信システムにも適用することができる。
【００５７】
本発明の好ましい実施形態において、ＭＣＣＨ指示メッセージ（ＭＣＣＨ  Ｉｎｄｉｃａｔｉｏｎ  Ｍｅｓｓａｇｅ）は、どのサービスに対する制御情報が伝送されるかを示すサービスＩＤ、どの種類の制御情報が伝送されるかを示すＲＲＣメッセージＩＤを含む。前記ＭＣＣＨ指示メッセージは、現在伝送されているＭＣＣＨ指示メッセージ又はＭＣＣＨで伝送される制御情報（ＲＲＣ  ｍｅｓｓａｇｅ）が新しい情報であるか更新された情報であるか、又は以前に伝送された情報であるかを示す更新情報をさらに含み、また、ＭＣＣＨ受信のための時間区間を示すタイミング情報をさらに含む。
【００５８】
前記ＭＣＣＨ指示メッセージは、端末が受信しているＭＴＣＨで伝送することができて、前記ＭＴＣＨを伝送するＳＣＣＰＣＨにマッピングされたＳ−ＭＣＣＨ（Ｓｅｃｏｎｄａｒｙ  ＭＣＣＨ）で伝送することもできる。また、前記ＭＣＣＨ指示メッセージは、サービスＩＤ、ＲＲＣメッセージＩＤ、更新情報及びタイミング情報の少なくとも１つを含むことができる。
【００５９】
前記ＲＲＣメッセージＩＤには、ＭＢＭＳサービスの開始を知らせるセッション開始情報、ＭＢＭＳサービスの終了を知らせるセッション中断情報、前記ＭＢＭＳサービスが提供されるＲＢのタイプが何かを示すＲＢタイプインジケータ、前記ＲＢタイプが１対多の場合にＭＴＣＨのような１対多ＲＢ情報を提供するためのＲＢ情報、前記ＭＢＭＳサービスを受信しようとする端末の数を測定するための集計情報及び前記ＭＢＭＳサービスの提供中に前記ＭＢＭＳサービスを受信しようとする端末の数を再集計するための再集計（Ｒｅ−ｃｏｕｎｔｉｎｇ）情報が含まれる。
【００６０】
前記更新情報は、ＭＣＣＨ指示メッセージ又はＲＲＣメッセージに関する一種の値タグ（Ｖａｌｕｅ  Ｔａｇ）として該当メッセージの新規性を知らせる。前記更新情報は、ＭＣＣＨ指示メッセージに関する更新情報及びＲＲＣメッセージに関する更新情報に区分されるが、注目すべき点は、前記更新情報のタイプによって端末の動作方法が若干異なるということである。
【００６１】
もし、更新情報がＭＣＣＨ指示メッセージに関する更新情報であると、端末は、ＭＣＣＨ指示メッセージを受信する度に該当ＭＣＣＨ指示メッセージの更新情報を保存する。ＭＣＣＨ指示メッセージが受信されると、端末は、該当ＭＣＣＨ指示メッセージに含まれている更新情報と以前に保存された更新情報とを比較する。比較の結果、以前に保存した更新情報がないか、又は前記２つの更新情報が異なると、端末は、現在受信した更新情報を新しい情報であると判断する。もし、前記２つの更新情報が同一であると、端末は、現在受信した更新情報が以前に受信した更新情報と同一であると判断する。
【００６２】
もし、前記更新情報がＲＲＣメッセージに関する更新情報であると、前記ＭＣＣＨ指示メッセージは、ＲＲＣメッセージＩＤと更新情報を含む。前記ＭＣＣＨ指示メッセージが受信されると、端末は、各ＲＲＣメッセージ毎に該当更新情報を保存する。新しいＭＣＣＨ指示メッセージが受信されると、端末は、ＲＲＣメッセージＩＤに関連して受信した更新情報と以前に保存した更新情報とを比較する。比較の結果、以前に保存された更新情報がないか、又は２つの更新情報が異なると、端末は、現在の更新情報が新しい情報であると判断し、同一なら以前に受信した更新情報と同一であると判断する。
【００６３】
前記タイミング情報は、端末がＭＣＣＨを受信すべきである時間区間に関する情報を知らせる。該時間区間情報には、ＭＣＣＨ受信開始時間、受信終了時間及び受信区間時間の少なくとも１つが含まれる。前記時間区間情報は、一般的な時間情報であったり、フレーム情報又はスロット情報である。
【００６４】
もし、前記ＭＣＣＨ指示メッセージにサービスＩＤが含まれていると、端末は、サービスＩＤを確認する。もし、前記サービスＩＤが移動端末に関連していない場合、端末は、前記受信したＭＣＣＨ指示メッセージを無視してＭＴＣＨの受信を続ける。しかし、前記サービスＩＤが自身が受信しているか、又は受信しようとするＭＢＭＳサービスのサービスＩＤであると、端末は、ＭＴＣＨからＭＣＣＨに受信チャネルを切り替えてＭＣＣＨで伝送される制御情報を受信する。
【００６５】
もし、前記ＭＣＣＨ指示メッセージにＲＲＣメッセージＩＤが含まれている場合、端末は、ＲＲＣメッセージＩＤを確認してＭＴＣＨからＭＣＣＨに受信チャネルを切り替えることで、前記ＭＣＣＨで伝送される制御情報のうちＲＲＣメッセージＩＤが示す制御情報を受信する。
【００６６】
もし、前記ＭＣＣＨ指示メッセージに更新情報が含まれている場合、端末は、受信した更新情報と予め保存された更新情報とを比較し、受信したＭＣＣＨ指示メッセージが新しいメッセージであるか否かを確認する。もし、受信した更新情報が予め保存された更新情報と同一であると、端末は、受信したＭＣＣＨ指示メッセージが以前に受信したＭＣＣＨ指示メッセージと同一であると判断し、前記受信したＭＣＣＨ指示メッセージを無視してＭＴＣＨの受信を続ける。しかし、以前に保存された更新情報がないか、又は前記受信した更新情報が以前に保存された更新情報と異なると、端末は、受信した更新情報を保存し、ＭＴＣＨからＭＣＣＨに受信チャネルを切り替えてＭＣＣＨで伝送される各制御情報を受信する。
【００６７】
また、前記ＭＣＣＨ指示メッセージにタイミング情報が含まれている場合、端末は、前記受信したタイミング情報が示す時間区間にＭＴＣＨからＭＣＣＨに受信チャネルを切り替えてＭＣＣＨを受信する。もし、前記タイミング情報に受信開始時間が含まれている場合、端末は、指示された開始時間からＭＣＣＨ受信を始める。もし、前記タイミング情報に受信終了時間が含まれている場合、端末は、指示された終了時間時間までＭＣＣＨを受信し、受信区間時間が含まれている場合には、該当時間区間にＭＣＣＨを受信する。
【００６８】
好ましくは、前記ＭＣＣＨ指示メッセージは、サービスＩＤ、ＲＲＣメッセージＩＤ、更新情報及びタイミング情報の少なくとも１つを含む。前記各情報の少なくとも１つが前記ＭＣＣＨ指示メッセージに含まれている場合、端末は、前述した各情報の個別動作を行って制御情報を受信する。
【００６９】
例えば、前記ＭＣＣＨ指示メッセージにサービスＩＤとＲＲＣメッセージＩＤが含まれている場合、端末は、サービスＩＤを確認する。確認の結果、もし、受信したサービスＵＤが自身に関連していないサービスＩＤであると、前記端末は、受信したＭＣＣＨ指示メッセージを無視してＭＴＣＨの受信を続ける。それに対して、受信したサービスＩＤが自身が受信しているか、又は受信しようとするＭＢＭＳサービスのサービスＩＤであると、端末は、ＭＴＣＨからＭＣＣＨにチャネルを切り替えてＭＣＣＨで伝送される各制御情報を受信する。前記ＭＣＣＨで伝送される制御情報のうちＲＲＣメッセージＩＤが示す制御情報を受信した後、端末は、該当制御情報によって動作を行う。
【００７０】
もし、前記ＭＣＣＨ指示メッセージにサービスＩＤと更新情報が含まれていると、端末は、サービスＩＤを確認する。もし、前記受信されたサービスＩＤが自身に関連していないサービスＩＤである場合、端末は、受信したＭＣＣＨ指示メッセージを無視してＭＴＣＨの受信を続ける。それに対して、前記受信したサービスＩＤが自身が受信しているか、又は受信しようとするＭＢＭＳサービスのサービスＩＤである場合、端末は、更新情報をさらに確認する。確認の結果、前記受信した更新情報が以前に保存された更新情報と同一であると、端末は、受信したＭＣＣＨ指示メッセージを無視してＭＴＣＨの受信を続ける。しかし、保存している更新情報がないか、又は前記以前に保存された更新情報が現在受信した更新情報と異なると、端末は、前記受信した更新情報を保存し、ＭＴＣＨからＭＣＣＨにチャネルを切り替えてＭＣＣＨで伝送される各制御情報を受信する。
【００７１】
また、前記ＭＣＣＨ指示メッセージにＲＲＣメッセージＩＤと更新情報が含まれている場合、端末は、受信した更新情報を以前に保存した更新情報と比較し、前記受信したＭＣＣＨ指示メッセージ又はＭＣＣＨで伝送されるＲＲＣメッセージが新しいメッセージであるかを確認する。もし、受信した更新情報と予め保存された更新情報と同一であると、端末は、前記受信したＭＣＣＨ指示メッセージを無視してＭＴＣＨの受信を続ける。しかし、もし、以前に保存した更新情報がないか、又は予め保存された更新情報が新しく受信した更新情報と異なると、端末は、前記受信したＭＣＣＨ指示メッセージ又はＲＲＣメッセージに関する更新情報を保存し、ＭＴＣＨからＭＣＣＨにチャネルを切り替えてＭＣＣＨで伝送される各制御情報を受信する。前記ＭＣＣＨで伝送される制御情報のうちＲＲＣメッセージＩＤが示す制御情報を受信した後、端末は、該当制御情報によってその後の動作を行う。
【００７２】
詳述したように、本発明は、ＭＣＣＨ指示メッセージにサービスＩＤ、ＲＲＣメッセージＩＤ及び更新情報のうち２つの情報が含まれている場合について記述した。しかし、本発明は、ＭＣＣＨ指示メッセージにサービスＩＤ、ＲＲＣメッセージＩＤ、更新情報及び時間情報のうち２つの情報又は３つ以上の情報が含まれている場合にも容易に適用することができて、前記端末は、各情報に対する動作を個別に処理して制御情報を受信する。
【００７３】
図４は、本発明の好ましい実施形態によるＭＢＭＳサービスのための制御情報の選択的な送受信方法を示す。図示のように、端末ＵＥ５０が第１のＭＢＭＳサービス（ＭＢＭＳ１）を受けている途中に第２のＭＢＭＳサービス（ＭＢＭＳ２）が始まる。従って、ＵＴＲＡＮは、端末に第２のＭＢＭＳサービスのセッション開始（Ｓｅｓｓｉｏｎ  Ｓｔａｒｔ）を知らせる。ここで、ＭＣＣＨ指示メッセージは、サービスＩＤ、ＲＲＣメッセージＩＤ、更新情報及びタイミング情報を含む。
【００７４】
端末５０は、ＭＴＣＨ  １でＬ１／Ｌ２層にＭＢＭＳ  １データを受信する（Ｓ１０）。前記端末５０のＲＲＣは、ＭＢＭＳ  １データを受信する途中にＭＴＣＨ  １又はＳ−ＭＣＣＨでＭＣＣＨ指示メッセージを受信する（Ｓ１１）。ここで、前記ＭＣＣＨ指示メッセージは、ＭＢＭＳ  ２のための制御情報受信指示メッセージである。ここで、前記サービスＩＤは、２の値を有し、前記ＲＲＣメッセージＩＤは、セッション開始を示すと仮定し、前記サービスＩＤとＲＲＣメッセージＩＤは、ＭＣＣＨ指示メッセージにより伝送されると仮定する。
【００７５】
前記端末５０は、サービスＩＤを確認して前記ＭＢＭＳ  ２サービスが端末５０が受信しようとするサービスであるか否かを判断する。もし、前記ＭＢＭＳ２が受信しようとするサービスであると、端末は、伝送される制御情報が新しい情報であるか否かを把握するためにさらに更新情報を確認してＭＣＣＨを受信するか否かを決定する（Ｓ１２）。もし、ＭＣＣＨが受信されると決定されると、前記端末５０のＲＲＣは、ＰＨＹ／ＭＡＣ／ＲＬＣ（Ｌ１／Ｌ２層）などの下位層に前記時間情報が示す時間に受信チャネルをＭＴＣＨ１からＭＣＣＨに切り替えることを指示する（Ｓ１３）。前記端末ＲＲＣの指示によって前記各下位層は、受信チャネルをＭＴＣＨ  １からＭＣＣＨに切り替えるが（Ｓ１４）、前記ＭＴＣＨ  １とＭＣＣＨは、それぞれ異なるＳＣＣＰＣＨにマッピングされているため、物理チャネルも切り替えられる。
【００７６】
その後、端末ＲＲＣは、前記ＭＣＣＨでＲＲＣメッセージＩＤが示すＲＲＣメッセージの受信を続ける（Ｓ１５）。好ましくは、前記端末ＲＲＣは、ＭＢＭＳ  ２のセッション開始メッセージを受信する。
【００７７】
前記ＭＢＭＳ  ２のセッション開始情報を受信すると、端末ＲＲＣは、ＭＢＭＳ  １の受信を続けるか、又は新しいＭＢＭＳ  ２を受信するかを決定する。この場合、ＭＢＭＳ  ２のセッション開始情報を端末ユーザに知らせ、その後の動作が前記ユーザの決定（ユーザの制御情報）によって決定される（Ｓ１６）。この実施形態では、ユーザがＭＢＭＳ  ２を受信しようとすると仮定する。
【００７８】
ユーザが新しいＭＢＭＳ  ２を受信すると決定すると、端末ＲＲＣは、ＰＨＹ／ＭＡＣ／ＲＬＣのような各下位層に受信チャネルをＭＣＣＨからＭＴＣＨ２に切り替えることを指示する（Ｓ１７）。従って、前記各下位層は、受信チャネルを前記ＭＣＣＨからＭＴＣＨ２に切り替えることで、端末ＲＲＣは、前記ＭＴＣＨ  ２でＬ１／Ｌ２層にＭＢＭＳ２データを受信する。
【００７９】
本発明は、移動通信に関連して説明したが、無線通信性能を備えたＰＤＡ及びラップトップコンピュータなどの移動装置を利用する他の無線通信システムにも適用することができる。かつ、本発明を説明するための特定用語はＵＭＴＳのような所定形態の無線通信システムに本発明の領域を制限するものではない。また、本発明は、ＴＤＭＡ、ＣＤＭＡ、ＦＤＭＡ、ＷＣＤＭＡなどのような他の無線インタフェース及び／又は各物理層を使用する他の無線通信システムにも適用することができる。
【００８０】
本実施形態は、ソフトウェア、ファームウェア、ハードウェア、又はそれらの組み合わせを生産するために基準プログラミング及び／又はエンジニアリング技術を用いて製造方法、装置及び製造物として実現される。ここで、使用される「製造物」という用語は、ハードウェア論理（例えば、Ｉｎｔｅｇｒａｔｅｄ  Ｃｉｒｃｕｉｔ  Ｃｈｉｐ、Ｆｉｅｌｄ  Ｐｒｏｇｒａｍｍａｂｌｅ  Ｇａｔｅ  Ａｒｒａｙ（ＦＰＧＡ）、Ａｐｐｌｉａｔｉｏｎ  Ｓｐｅｃｉｆｉｃ  Ｉｎｔｅｇｒａｔｅｄ  Ｃｉｒｃｕｉｔ（ＡＳＩＣ）、ｅｔｃ）、コンピュータ可読媒体（ｃｏｍｐｕｔｅｒ  ｒｅａｄａｂｌｅ  ｍｅｄｉｕｍ）（例えば、磁気記録媒体（すなわち、ハードディスクドライブ、フロッピー（登録商標）ディスク、テープなど）、光記憶装置（ＣＤ−ＲＯＭｓ、光ディスクなど）、及び揮発性／不揮発性メモリ装置（例えば、ＥＥＰＲＯＭｓ、ＲＯＭｓ、ＰＲＯＭｓ、ＲＡＭｓ、ＤＲＡＭｓ、ＳＲＡＭｓ、ファームウェア、プログラム可能論理など）で実現されるコードや論理を示す。
【００８１】
コンピュータ可読媒体内のコードは、プロセッサにより接続されて実行される。また、本実施形態が実現されたコードは、伝送メディア又はネットワークのファイルサーバから接続可能であり得る。このような場合、前記コードが実現された製造物は、網伝送ライン、無線伝送メディア、空間を通じて伝達される信号、無線波、赤外線信号のような伝送メディアから構成される。もちろん、この分野の技術における通常の知識を有する者であれば本発明の領域から逸脱することなく、このような構成で多様な変形を作り出し得るということと、製造物が従来技術でよく知られている情報方位媒体（ｉｎｆｏｒｍａｔｉｏｎ  ｂｅａｒｉｎｇ  ｍｅｄｉｕｍ）から構成されるということを認識するであろう。
【００８２】
本発明の精神や重要な特性から逸脱することなく、様々な形態で本発明を実現することで、前述した実施形態がいかなる詳細な記載内容によっても限定されるものではなく、添付された請求範囲に定義されたように、本発明の精神や範囲内で広範囲に解釈されるべきであることを認識しなければならず、本発明の真の技術的な保護範囲は、添付された特許請求の範囲の技術的な思想により決定されるべきである。
【図面の簡単な説明】
【００８３】
本発明の理解を助けるためのものであり、この明細書と共に明細書の一部を構成する各添付図面は、本発明の原理を説明するための本発明の実施形態を図示している。
【図１】従来の無線通信システムのネットワーク構造を示す図である。
【図２】ＵＥとＵＴＲＡＮの間の無線接続ネットワーク規格に基づいた従来の無線インタフェースプロトコルの構造を示す図である。
【図３】移動端末側のＭＢＭＳのための従来のチャネルマッピングを示す図である。
【図４】本発明の実施形態によるＭＢＭＳサービスのための制御情報を選択的に送受信するためのダイヤグラムを示す図である。
【図１】
2007522758.tif 000003
【図２】
2007522758.tif 000004
【図３】
2007522758.tif 000005
【図４】
2007522758.tif 000006
【国際調査報告】
2007522758.tif 000007
2007522758.tif 000008